【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
ビットストリームのマルチ・ビュー・ビデオ・コンテンツに対応する少なくとも１つのビューのピクチャを復号するデコーダを備え、前記ピクチャがビデオ・シーケンスの少なくとも一部分を表し、前記ピクチャの少なくともいくつかがビデオ・シーケンス内の異なる時刻に対応する装置であって、
前記デコーダが、前記異なる時刻の特定の１つに対応するピクチャの何れかが失われているかどうかを既存のシンタックス要素を用いて判定し、前記既存のシンタックス要素が、前記少なくとも１つのビューを含む前記ビットストリーム内の符号化ビューの数を示す、前記装置。
【請求項２】
前記既存のシンタックス要素が、マルチ・ビュー・ビデオ符号化シンタックス要素である、請求項１に記載の装置。
【請求項３】
前記マルチ・ビュー・ビデオ符号化シンタックス要素が、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項２に記載の装置。
【請求項４】
前記既存のシンタックス要素が、高レベルである、請求項１に記載の装置。
【請求項５】
前記高レベルが、スライス・ヘッダ・レベル、シーケンス・パラメータ・セット・レベル、ピクチャ・パラメータ・セット・レベル、ビュー・パラメータ・セット・レベル、ネットワーク・アブストラクション・レイヤ・ユニット・ヘッダ・レベル、および付加拡張情報メッセージに対応するレベルの少なくとも１つに対応する、請求項１に記載の装置。
【請求項６】
前記異なる時刻の前記特定の１つに対応するピクチャの何れかがバッファリングされ、前記デコーダが、前記異なる時刻の前記特定の１つの時刻に到着したピクチャのカウントを保持する、請求項１に記載の装置。
【請求項７】
前記デコーダが、前記カウントの値と、前記既存のシンタックス要素の値とを比較する、請求項６に記載の装置。
【請求項８】
前記特定のピクチャのカウントの値が前記既存のシンタックス要素の値と等しくないときに、前記ピクチャの特定の１つが失われたものとして指定される、請求項７に記載の装置。
【請求項９】
前記デコーダが、前記ビットストリームに対応する到着した１組のビュー識別子の中から欠落しているビュー識別子を探索することにより、失われたものとして指定されたピクチャの前記特定の１つのビュー識別子を決定する、請求項８に記載の装置。
【請求項１０】
前記ビットストリームのピクチャを復号するために、前記デコーダが前記ピクチャを一度だけバッファリングする、請求項１に記載の装置。
【請求項１１】
前記デコーダが、前記ビットストリームの開始時に、一度だけ前記ピクチャをバッファリングする、請求項１０に記載の装置。
【請求項１２】
前記デコーダが、符号化順序の変更の後に、一度だけ前記ピクチャをバッファリングする、請求項１０に記載の装置。
【請求項１３】
前記デコーダが、前記バッファリングの後で、前記ピクチャのビュー識別子の順序を保持する、請求項１０に記載の装置。
【請求項１４】
前記デコーダが、前記異なる時刻のうちの後続の時刻についての保持された順序を使用して、前記異なる時刻のうちの後続の時刻に対応するピクチャの何れかが失われたかどうかを判定し、前記異なる時刻のうちの前記後続の時刻が、前記異なる時刻の前記特定の１つより後の時刻である、請求項１３に記載の装置。
【請求項１５】
前記少なくとも１つのビューが少なくとも２つのビューを含み、前記少なくとも１つのビューのうちの第１の符号化ビューおよび前記２つのビューが国際標準化機構／国際電気標準会議ＭＰＥＧ−４  Ｐａｒｔ１０  ＡＶＣ標準／国際電気通信連合電気通信標準化部門Ｈ．２６４勧告に関して適合するビューであるときに、前記デコーダが、前記２つのビューの間でいくつかのビューを使用して前記ピクチャの何れかが失われたかどうかを判定し、前記第１の符号化ビューが、前記２つのビューのうちの一方のビューまたは別のビューである、請求項１に記載の装置。
【請求項１６】
ビットストリームのマルチ・ビュー・ビデオ・コンテンツに対応する少なくとも１つのビューのピクチャを復号するステップを含み、前記ピクチャがビデオ・シーケンスの少なくとも一部分を表し、前記ピクチャの少なくともいくつかがビデオ・シーケンス内の異なる時刻に対応する方法であって、
前記復号ステップが、前記異なる時刻の特定の１つに対応するピクチャの何れかが失われているかどうかを既存のシンタックス要素を用いて判定するステップを含み、前記既存のシンタックス要素が、前記少なくとも１つのビューを含む前記ビットストリーム内の符号化ビューの数を示す、前記方法。
【請求項１７】
前記既存のシンタックス要素が、マルチ・ビュー・ビデオ符号化シンタックス要素である、請求項１６に記載の方法。
【請求項１８】
前記マルチ・ビュー・ビデオ符号化シンタックス要素が、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項１７に記載の方法。
【請求項１９】
前記既存のシンタックス要素が、高レベルである、請求項１６に記載の方法。
【請求項２０】
前記高レベルが、スライス・ヘッダ・レベル、シーケンス・パラメータ・セット・レベル、ピクチャ・パラメータ・セット・レベル、ビュー・パラメータ・セット・レベル、ネットワーク・アブストラクション・レイヤ・ユニット・ヘッダ・レベル、および付加拡張情報メッセージに対応するレベルの少なくとも１つに対応する、請求項１６に記載の方法。
【請求項２１】
前記異なる時刻の前記特定の１つに対応するピクチャの何れかがバッファリングされ、前記復号ステップが、前記異なる時刻の前記特定の１つの時刻に到着したピクチャのカウントを保持するステップを含む、請求項１６に記載の方法。
【請求項２２】
前記復号ステップが、前記カウントの値と、前記既存のシンタックス要素の値とを比較するステップを含む、請求項２１に記載の方法。
【請求項２３】
前記特定のピクチャのカウントの値が前記既存のシンタックス要素の値と等しくないときに、前記ピクチャの特定の１つが失われたものとして指定される、請求項２２に記載の方法。
【請求項２４】
前記復号ステップが、前記ビットストリームに対応する到着した１組のビュー識別子の中から欠落しているビュー識別子を探索することにより、失われたものとして指定されたピクチャの前記特定の１つのビュー識別子を決定するステップを含む、請求項２３に記載の方法。
【請求項２５】
前記ビットストリームのピクチャを復号するために、前記復号ステップが前記ピクチャを一度だけバッファリングするステップを含む、請求項１６に記載の方法。
【請求項２６】
前記デコーダが、前記ビットストリームの開始時に、一度だけ前記ピクチャをバッファリングする、請求項２５に記載の方法。
【請求項２７】
前記デコーダが、符号化順序の変更の後に、一度だけ前記ピクチャをバッファリングする、請求項２５に記載の方法。
【請求項２８】
前記復号ステップが、前記バッファリングの後で、前記ピクチャのビュー識別子の順序を保持するステップを含む、請求項２５に記載の方法。
【請求項２９】
前記復号ステップが、前記異なる時刻のうちの後続の時刻についての保持された順序を使用して、前記異なる時刻のうちの後続の時刻に対応するピクチャの何れかが失われたかどうかを判定するステップを含み、前記異なる時刻のうちの前記後続の時刻が、前記異なる時刻の前記特定の１つより後の時刻である、請求項２８に記載の方法。
【請求項３０】
前記少なくとも１つのビューが少なくとも２つのビューを含み、前記少なくとも１つのビューのうちの第１の符号化ビューおよび前記２つのビューが国際標準化機構／国際電気標準会議ＭＰＥＧ−４  Ｐａｒｔ１０  ＡＶＣ標準／国際電気通信連合電気通信標準化部門Ｈ．２６４勧告に関して適合するビューであるときに、前記復号ステップで、前記２つのビューの間でいくつかのビューを使用して前記ピクチャの何れかが失われたかどうかを判定し、前記第１の符号化ビューが、前記２つのビューのうちの一方のビューまたは別のビューである、請求項１６に記載の方法。